(57)【要約】【課題】従来のコンソールデスクは、各種機器の設置数やレイアウト毎に設計を行う必要があり、手間と費用が掛かる。また従来の場合は、導入計画時のレイアウトにおいて設計思想が完結しているため、導入後の拡張性は殆どない。【解決手段】そこで本発明では、外周に軸方向のナット装着溝１が形成されたフレーム材２により矩形枠状の主フレーム３が構成され、主フレームを構成する正面上側横方向のフレーム材に支持アーム４を前側に突出させて固定した下部ユニットＤと、下部ユニットの上記支持アーム上に固定するテーブル板５と、下部ユニットの横側のフレーム材に固定するサイドプレート６と、下部ユニットの上側のフレーム材に固定する上部ユニットＵとからデスクを構成することにより、上述した課題を解決している。【選択図】図１
2010224669.tif 000002
【特許請求の範囲】
【請求項１】
外周に軸方向のナット装着溝が形成されたフレーム材により矩形枠状の主フレームが構成され、主フレームを構成する正面上側横方向のフレーム材に支持アームを前側に突出させて固定した下部ユニットと、下部ユニットの上記支持アーム上に固定するテーブル板と、下部ユニットの横側のフレーム材に固定するサイドプレートと、下部ユニットの上側のフレーム材に固定する上部ユニットとから構成したことを特徴とするデスク。
【請求項２】
外周に軸方向のナット装着溝が形成されたフレーム材により矩形枠状の主フレームが構成され、主フレームを構成する正面上側横方向のフレーム材に支持アームを前側に突出させて固定すると共に、主フレームを構成する横側上部奥行方向のフレーム材に、前側から後方に向かって支持部材を固定した下部ユニットと、下部ユニットの上記支持アーム上に固定するテーブル板と、下部ユニットの横側のフレーム材に固定するサイドプレートと、下部ユニットの上側のフレーム材に固定する上部ユニットとから構成し、上部ユニットの下側には下部ユニットの上記支持部材との当接支持部を構成したことを特徴とするデスク。
【請求項３】
支持部材の支持片が、前側から後方に向かって下方に傾斜していることを特徴とする請求項２に記載のデスク。
【請求項４】
主フレームを構成するフレーム材は、２条のナット装着溝を有する構成としたことを特徴とする請求項１〜３のいずれか１項に記載のデスク。
【請求項５】
主フレームを構成するフレーム材のうち、横側のフレーム材は、デスクの横方向には幅狭で、１条のナット装着溝を有する構成としたことを特徴とする請求項４に記載のデスク。
【請求項６】
上部ユニットが、４Ｕ機器のマウントユニットであることを特徴とする請求項１〜５までのいずれか１項に記載のデスク。
【請求項７】
上部ユニットが、８Ｕ機器のマウントユニットであることを特徴とする請求項１〜５までのいずれか１項に記載のデスク。
【請求項８】
上部ユニットが、載置用板体を有する重量機器載置ユニットであることを特徴とする請求項１〜５までのいずれか１項に記載のデスク。
【請求項９】
載置用板体が、前側から後方に向かって下方に傾斜していることを特徴とする請求項８に記載のデスク。
【請求項１０】
上部ユニットが、外周に軸方向のナット装着溝が形成されたフレーム材による支柱であることを特徴とする請求項１〜５までのいずれか１項に記載のデスク。
【請求項１１】
下部ユニットと上部ユニットの背面側に、空間部を有するカバーをフレーム材を以て着脱式に取付可能に構成したことを特徴とする請求項１〜５までのいずれか１項に記載のデスク。
【請求項１２】
カバーは、複数を組み合わせて下部ユニットと上部ユニットの背面側を覆う構成としたことを特徴とする請求項１１に記載のデスク。
【請求項１３】
請求項１〜１２のデスクの、支持アームに、機器設置用フレーム部材により機器を支持する構成とすると共に、テーブル板に機器挿通用の開口を形成し、更に支持アームに、機器下部の保護カバーを支持する構成としたことを特徴とするデスク。
【請求項１４】
請求項１〜１２のデスクの、複数の下部ユニットを隣接させて並置し、夫々の下部ユニットの上側に上部ユニットを固定すると共に、夫々の下部ユニットの支持アーム上に共通のテーブル板を固定し、外側に配置された下部ユニットの横側にサイドプレートを固定して構成されることを特徴とするデスク。
【請求項１５】
隣接した下部ユニットと上部ユニットの間に、前側と背面側の幅を異ならせた楔形状のコーナーユニットを介在させて構成されることを特徴とする請求項１４に記載のデスク。
【発明の詳細な説明】
【技術分野】
【０００１】
本発明は、例えば、放送・映像・音響関連事業設備等において、設置された各種電子機器を操作、運用する際に使用するデスク、いわゆるコンソールデスクに関するものである。
【背景技術】
【０００２】
従来のコンソールデスクは、概ね、各種機器を収納するための下部筐体と、操作用のテーブル部と、監視用の表示部等の各部から構成されるものであり、従来は、これらの各部を一体として設計することが多い。
【０００３】
このため従来のコンソールデスクは、各種機器の設置数やレイアウト毎に設計を行う必要があり、手間と費用が掛かる。
【０００４】
また導入計画時において、従来のコンソールデスクの場合は、各部に設置する機器及びそのレイアウトが確定した段階でないと、具体的な設計を開始することができず、早い段階での費用の算出が困難である。また設計において各部は密接にリンクしているため、変更に対しての自由度が小さく、いずれかの個所の変更が全ての個所に波及する場合があり、設計上及び製作上、共に大きな変更を余儀なくされ、結果として費用的にも大きな負担が発生する。そして仮にこれらの負担を許容して変更を行ったとしても優れたデザインの外観を得ることは困難である。
【０００５】
また従来のコンソールデスクの場合は、導入計画時のレイアウトにおいて設計思想が完結しているため、導入後の拡張性は殆どない。
【０００６】
また、従来のコンソールデスクの中には、例えば特許文献１に示されるように、デスクの要素を分割可能に取り付けた構成のものが提案されている。即ち、特許文献１に記載されたコンソールデスクは、テーブル部とパネル部を有する前部コンソールデスクを後部コンソールデスクの側面に分割可能に取り付けた構成としている。
【０００７】
このコンソールデスクは、構成要素を分割して梱包可能とすることにより、梱包時の容積及び平面形状を小さくし、従って搬入時に収納されている機器類を取り外さないで容易に運搬、搬入することができると共に、テーブル部分の固定も確実に行うことができるというものであり、上述した従来のコンソールデスクの問題点を解決するものではない。
【０００８】
一方、従来の技術として、アルミニウムやその合金を押出加工して、外周に軸方向のナット装着溝を形成したフレーム材、いわゆるアルミフレームを結合して家具等のフレームを構成する方法が知られている。例えば特許文献２又は特許文献３等を参照のこと。
【０００９】
しかしながらこのようなフレームの構成方法を、上述した従来のコンソールデスクの問題点の解決手段として使用されている例はない。
【先行技術文献】
【特許文献】
【００１０】
【特許文献１】実願昭６０−１４８１７９号（実開昭６２−５７８２４号）のマイクロフィルム
【特許文献２】特開２００６−３２９３０５号公報
【特許文献３】米国特許第３９０１６１２号明細書
【発明の概要】
【発明が解決しようとする課題】
【００１１】
本発明は、従来のコンソールデスクの上述した問題点を、解決すべき課題としたもので、コンソールデスクを構成する要素をユニット化し、これらを組み合わせて、所望の機能のコンソールデスクを構成するようにすることにより、全体としての設計を容易とし、費用の算出を早期に行えると共に、変更や拡張も容易に行えるようにすることを目的とするものである。
【課題を解決するための手段】
【００１２】
以上の課題を解決するために，本発明では、外周に軸方向のナット装着溝が形成されたフレーム材により矩形枠状の主フレームが構成され、主フレームを構成する正面上側横方向のフレーム材に支持アームを前側に突出させて固定した下部ユニットと、下部ユニットの上記支持アーム上に固定するテーブル板と、下部ユニットの横側のフレーム材に固定するサイドプレートと、下部ユニットの上側のフレーム材に固定する上部ユニットとから構成したデスクを提案する。
【００１３】
また本発明では、外周に軸方向のナット装着溝が形成されたフレーム材により矩形枠状の主フレームが構成され、主フレームを構成する正面上側横方向のフレーム材に支持アームを前側に突出させて固定すると共に、主フレームを構成する横側上部奥行方向のフレーム材に、前側から後方に向かって支持部材を固定した下部ユニットと、下部ユニットの上記支持アーム上に固定するテーブル板と、下部ユニットの横側のフレーム材に固定するサイドプレートと、下部ユニットの上側のフレーム材に固定する上部ユニットとから構成し、上部ユニットの下側には下部ユニットの上記支持部材との当接支持部を構成したデスクを提案する。またこの構成において、支持部材の支持片が、前側から後方に向かって下方に傾斜しているデスクを提案する。
【００１４】
また本発明では、上記の構成において、主フレームを構成するフレーム材は、２条のナット装着溝を有する構成としたデスクを提案する。そしてこの構成において、主フレームを構成するフレーム材のうち、横側のフレーム材は、デスクの横方向には幅狭で、１条のナット装着溝を有する構成としたデスクを提案する。
【００１５】
また本発明では、上記の構成において、上部ユニットが、４Ｕ機器のマウントユニットや、８Ｕ機器のマウントユニットや、載置用板体を有する重量機器載置ユニットや、外周に軸方向のナット装着溝が形成されたフレーム材による支柱であるデスクを提案する。
【００１６】
そして本発明では、上部ユニットが、載置用板体を有する重量機器載置ユニットである場合に、この載置用板体が、前側から後方に向かって下方に傾斜しているデスクを提案する。
【００１７】
また本発明では、上記の構成において、下部ユニットと上部ユニットの背面側に、空間部を有するカバーをフレーム材を以て着脱式に取付可能に構成したデスクを提案する。また本発明では、このカバーは、複数を組み合わせて下部ユニットと上部ユニットの背面側を覆う構成とすることを提案する。
【００１８】
また本発明では、以上の構成のデスクの、支持アームに、機器設置用フレーム部材により機器を支持する構成とすると共に、テーブル板に機器挿通用の開口を形成し、更に支持アームに、機器下部の保護カバーを支持する構成としたデスクを提案する。
【００１９】
また本発明では、以上の構成のデスクの、複数の下部ユニットを隣接させて並置し、夫々の下部ユニットの上側に上部ユニットを固定すると共に、夫々の下部ユニットの支持アーム上に共通のテーブル板を固定し、外側に配置された下部ユニットの横側にサイドプレートを固定して構成されるデスクを提案する。
【００２０】
そして本発明では、上記の構成において、隣接した下部ユニットと上部ユニットの間に、前側と背面側の幅を異ならせた楔形状のコーナーユニットを介在させて構成したデスクを提案する。
【発明の効果】
【００２１】
本発明によれば、共通の下部ユニットに対して、複数種類の上部ユニット、例えば、４Ｕ機器のマウントユニットや、８Ｕ機器のマウントユニットや、水平状または前側が高く傾斜している載置用板体を有する重量機器載置ユニットや、フレーム材により構成した支柱等の中から、条件を満たす上部ユニットを選択し、これを下部ユニットに結合することにより、デスクの要部を構成することができ、そして下部ユニットの上記支持アーム上にテーブル板を固定すると共に、下部ユニットの横側にサイドプレートを取り付けて所望のデスクを構成することができる。
【００２２】
この際、下部ユニットに対しての上部ユニットの結合や、テーブル板、サイドプレートの固定は、フレーム材に形成されたナット装着溝に装着する結合部材を使用して容易に行うことができる。
【００２３】
本発明によれば複数の下部ユニットを横方向に連結して一体化することができ、一体化した複数の下部ユニットの夫々の上側に上部ユニットを結合してデスクの要部を構成することができる。こうして、複数の下部ユニット及び上部ユニットを横方向に一体に連接した後、左右側の端部に位置する下部ユニットの外側にサイドプレートを取り付けると共に、夫々の下部ユニットの支持アームに共通のテーブル板を固定して所望の横幅のデスクを構成することができる。
【００２４】
この際、隣接した下部ユニットと上部ユニットの間に、前側と背面側の幅を異ならせた楔形状のコーナーユニットを介在させて結合すれば、複数の下部ユニット及び上部ユニットを、コンケープ状又はコンベックス状に角度をつけて配置することができる。即ち、コーナーユニットの幅の狭い側を前側として結合するとコンケープ状に配置することができ、逆に幅の広い側を前側として結合することによりコンベックス状に配置することができる。
【００２５】
尚、以上のように一体化する複数の下部ユニットの夫々に結合する上部ユニットは、同一種類のものでも良いし、異なった種類のものであっても良い。
【００２６】
また、本発明では、以上のように複数の下部ユニット及び上部ユニットを横方向に一体に連接した構成とは異なる他の構成として、複数の下部ユニット及び上部ユニットを間隔を置いて横側に配置することができ、そしてこのように横側に配置された下部ユニットの夫々の支持アームにより共通のテーブル板を固定することにより、横側に間隔を置いて配置された複数の下部ユニット及び上部ユニットを一体化することもできる。
【００２７】
下部ユニットに対しての上部ユニットの結合は、下部ユニットの上側部と上部ユニットに下側部に位置するフレーム材同士を結合部材により結合して行う構成の他、主フレームを構成する上部側方側のフレーム材に、前側から後方に向かって支持部材を固定すると共に、この支持部材との当接部を上部ユニットの下側に設けた構成とすることにより、上部ユニットに設置する機器の荷重を更に良好に下部ユニットにより受けることができる。
【００２８】
この際、支持部材は、前側から後方に向かって下方に傾斜している構成とすれば、その傾斜角度に対応して、上部ユニットに傾斜させて設置した機器の荷重を良好に受けることができる。
【００２９】
また本発明では、下部ユニットと上部ユニットの背面側に、空間部を有するカバーをフレーム材を以て着脱式に取付可能に構成すれば、下部ユニットと上部ユニットに設置した機器の後部を保護すると共に、機器等のメンテナンスが容易となり、また機器間の配線をカバー内に収めることができ、美観にも優れる。
【００３０】
また本発明では、支持アームに、機器設置用フレーム部材により機器を支持する構成とすると共に、テーブル板に機器挿通用の開口を形成し、更に支持アームに、機器下部の保護カバーを支持する構成とすることにより、重量のある機器をテーブル板の個所に支持することができ、機器の設置個所のバリエーションを更に増やすことができる。
【００３１】
更に本発明では、主フレームを構成するフレーム材は、２条のナット装着溝を有する構成としているので、下部ユニットへの機器取付用のアングル材やブラケット等の金具類の取付位置の自由度が高い。この際、横側のフレーム材は、デスクの横方向には幅狭で、１条のナット装着溝を有する構成とすれば、複数の下部ユニットを横方向に連結して一体化しても、必要以上に幅が大きくなることがなく、しかも、１条のナット装着溝を有する構成のフレーム材を並置して結合することにより２条のナット装着溝が構成されるので、上述した取付位置の自由度が阻害されることもない。
【００３２】
こうして本発明に係るデスクでは、各種機器の設置数やレイアウト毎に設計を行う必要がないので、従来のデスクとは異なり、手間と費用が掛からない。また従来の場合は、導入計画時のレイアウトにおいて設計思想が完結しているため、導入後の拡張性は殆どないが、本発明に係るデスクでは、導入後の拡張性が非常に高い。
【図面の簡単な説明】
【００３３】
【図１】本発明に係るデスクを構成する途中の状態を示す斜視図である。
【図２】図１のデスクを他の方向から見た斜視図である。
【図３】本発明に係るデスクを構成する主フレームの構成部材を示す説明的斜視図である。
【図４】本発明に係るデスクを構成する主フレームを示す斜視図である。
【図５】図４の主フレームを他の方向から見た斜視図である。
【図６】本発明に係るデスクの下部ユニットを構成する途中の状態を示す斜視図である。
【図７】図６の下部ユニットを他の方向から見た斜視図である。
【図８】本発明に係るデスクの構成例を示す説明的斜視図である。
【図９】本発明に係るデスクの他の構成例を示す説明的斜視図である。
【図１０】本発明に係るデスクの更に他の構成例を示す説明的斜視図である。
【図１１】本発明に係る下部ユニットを複数並置してデスクを構成する途中の状態を示す斜視図である。
【図１２】本発明に係る下部ユニットを複数並置して他のデスクを構成する途中の状態を示す斜視図である。
【図１３】本発明に係る下部ユニットを複数並置して構成したデスクの一例の斜視図である。
【図１４】本発明に係る下部ユニットを複数並置して構成したデスクの他の例の斜視図である。
【図１５】図１４のデスクを他の方向から見た斜視図である。
【図１６】本発明に係る下部ユニットを複数並置して構成する他のデスクの構成要素を示す斜視図である。
【図１７】図１６の構成要素により構成したデスクの斜視図である。
【図１８】本発明に係る下部ユニットを複数並置して構成する更に他のデスクの構成要素を示す斜視図である。
【図１９】本発明に係る下部ユニットを複数並置して構成する他のデスクの構成要素を示す斜視図である。
【図２０】図１９の構成要素により構成したデスクの斜視図である。
【発明を実施するための形態】
【００３４】
次に本発明を実施するための形態を添付図面を参照して説明する。
図１〜図１８は本発明に係るデスクの実施の形態を示す説明図である。
図に示されるように、この実施の形態に係るデスクは、外周に軸方向のナット装着溝１が形成されたフレーム材２（２fu，２fd，２bu，２bd，２fl，２fr，２bl，２br，２ul，２ur，２dl，２dr）により矩形枠状の主フレーム３が構成され、この主フレーム３を構成する正面上側横方向のフレーム材２fuの少なくとも左右側に支持アーム４を前側に突出させて固定した下部ユニットＤと、下部ユニットＤの上記支持アーム４上に固定するテーブル板５と、下部ユニットＤの横側のフレーム材２fl，２fr，２bl，２br，２ul，２ur，２dl，２drに固定するサイドプレート６と、下部ユニットＤの上側のフレーム材２bu，２ul，２urに固定する上部ユニットＵとから構成したことを特徴としている。
【００３５】
この実施の形態において、フレーム材２は、上述したように外周に軸方向のナット装着溝１が形成された、いわゆるアルミフレームを用いており、このアルミフレームによるフレーム材２を、ブラケットや、ボルト、ナット等の結合材７を用いて結合する事により、上記主フレーム３、そして下部ユニットＤを構築するものである。このようなアルミフレームを用いたフレームの構築方法自体は周知であるので詳細な説明は省略する。
【００３６】
この実施の形態においては、フレーム材２fu，２fd，２bu，２bdは全周に二条のナット装着溝１が形成されたものであり、左右側に支持アーム４を固定する正面上側横方向のフレーム材２fuは、他のフレーム材２fd，２bu，２bdの倍の寸法としている。また下部ユニットＤの横側のフレーム材２fl，２fr，２bl，２br，２ul，２ur，２dl，２drは、デスクの横方向に対応する幅方向の面の寸法は半分に形成して一条のナット装着溝１が形成されると共に、他の面は上記他のフレーム材２fd，２bu，２bdと同様の寸法で、二条のナット装着溝１が形成されている。
【００３７】
以上のフレーム材２と結合材７を用いて、図４、図５に示されるように、主フレーム３が構築される。図においては、結合材７としてコーナー用のブラケットを図示している。
【００３８】
この実施の形態においては、前面側にナット装着溝１を以て支持アーム４を固定する正面上側横方向のフレーム材２fuの上面側にナット装着溝１を以てアンダーテーブルブラケット８を固定しており、このアンダーテーブルブラケット８の前方側にはテーブル支持片９が突出形成され、更にケーブル類挿通口１０が形成されている。また主フレーム３を構成する横側上部奥行方向のフレーム材、即ちフレーム材２ul，２urの上面にナット装着溝１を以て、前側から後方に向かって支持部材１１を固定している。この実施の形態においては、支持部材１１は、その上部に形成した支持片１２を、前側から後方に向かって下方に傾斜させているが、後述する上部ユニットＵの構成によっては、傾斜させない構成とすることができる。そしてフレーム材２ul，２dl；２ur，２dr間には、主フレーム３の内側に対応して、格納機器を支持するために用いるアングル材１３をナット装着溝１を以て固定しており、更にフレーム材２dl，２drの上面側には、下部ユニットＤを横方向に連結するための連結ブラケット１４がナット装着溝１を以て固定されている。
【００３９】
以上の構成において、図６、図７の状態において、上記支持アーム４とアンダーテーブルブラケット８上にテーブル板５を固定すると共に、横側のフレーム材２fl，２fr，２bl，２br，２ul，２ur，２dl，２drにサイドプレート６を固定することにより下部ユニットＤを構成することができ、その上側のフレーム材２bu，２ul，２ur、そして上記支持部材１１上に上部ユニットＵを固定することにより、デスクを構成することができる。
【００４０】
図１、図２に示している上部ユニットＵは、箱形の形状の４Ｕ機器のマウントユニットであり、後側上面にアーム支持機構を設けている。即ち、このアーム支持機構は、横方向に溝部１５を有するアーム用レール１６を設け、その溝部１６にアーム支持部材１７を摺動可能に支持している。尚、このアーム支持部材１７は、それに突設支持したアーム（図示省略）の端部に液晶ディスプレー等の機器を設置する機能を有する。
【００４１】
この他、下部ユニットＤの上側に固定する上部ユニットＵは、図８又は図９に例示されるように各種のものを組み合わせることが可能である。
【００４２】
例えば図８において、（ａ）の上部ユニットＵは図１、図２と同様に、アーム支持機構を備えた４Ｕ機器のマウントユニットであるが、（ｂ）はアーム支持機構を備えた８Ｕ機器のマウントユニット、（ｃ）はアーム支持機構を備えていない８Ｕ機器のマウントユニット、（ｄ）はアーム支持機構を備えていない４Ｕ機器のマウントユニットである。
【００４３】
また図９において、（ａ）の上部ユニットＵは、ケーブル類挿通口１８を備えた載置用板体１９を、傾斜した支持部２０によって支持部材１１の支持片１２上に支持する重量機器載置ユニットであり、また（ｂ）はケーブル類挿通口１８を備えていない載置用板体１９を、傾斜した支持部２０によって支持部材１１の支持片１２上に支持する重量機器載置ユニットである。これらの重量機器載置ユニットは、下部ユニットＤの傾斜した支持部材１１と支持片１２及び自体の傾斜した支持部２０とにより、載置用板体１９が水平に支持される。一方、（ｃ）の上部ユニットＵは、載置用板体１９を、傾斜していない支持部２０によって支持部材１１の支持片１２上に支持する重量機器載置ユニットであり、このユニットの場合には、載置用板体１９は、支持部材１１と支持片１２の傾斜角度で傾斜して支持される。更に（ｄ）の上部ユニットＵは、支柱２１をブラケット２２によりフレーム材２buの上側に連結して立設させ、上部に設けたアーム用レール２３の溝部２４に、例えばピボットアーム（図示省略）等を介して液晶ディスプレー等の機器（図示省略）を支持するためのウオールマウントユニットである。
【００４４】
以上では、一つの下部ユニットＤに対して、一つの上部ユニットＵを取り付けた例を示しているが、一つの下部ユニットＤに対して、排他的でない上部ユニットＵを複数取り付けることができることは勿論である。例えば図１０は、一つの下部ユニットＤに対して、図９の（ｂ）の重量機器載置ユニットと（ｄ）のウオールマウントユニットを取り付けた例を示している。尚、ウオールマウントユニットの支柱２１の取付方法は、図９に示しているように、フレーム材２buの上側に連結する他、フレーム材２bl，２brの後側に沿って取り付けるようにすることもできる。
【００４５】
以上の実施の形態においては、一つの下部ユニットＤによりデスクを構成しているが、本発明においては、複数の下部ユニットＤ，…，Ｄを隣接させて並置し、夫々の下部ユニットＤの上側に上部ユニットＵを固定すると共に、夫々の下部ユニットＤの支持アーム４上に共通のテーブル板５ｃを固定し、外側に配置された下部ユニットの横側にサイドプレート６を固定してデスクを構成することができる。尚、この際、開口となっている主フレーム３の前後側には必要に応じて扉板を取り付ける。また主フレーム３のフレーム材２fdの前側に適宜ステップ板を取り付けることができる。
【００４６】
図１１は２つの下部ユニットＤを構成する主フレーム３に支持アーム４を取り付けたものを並置して、連結する前の状態を示すものであり、また図１２は４つの下部ユニットＤを構成する主フレーム３を並置して連結し、夫々の主フレーム３に支持アーム４を取り付けた状態を示すものである。図１２の円内に拡大して示すように、並置して隣接した下部ユニットＤの連結は、夫々の下部ユニットＤのフレーム材２dl，２drに固定した連結ブラケット１４同士をボルト・ナット２５により結合して容易に行うことができる。この際、横側のフレーム材２fl，２fr，２bl，２br，２ul，２ur，２dl，２drは、デスクの横方向には幅狭で、１条のナット装着溝を有する構成とした場合には、複数の下部ユニットＤを横方向に連結して一体化しても、必要以上に幅が大きくなることがなく、しかも、１条のナット装着溝１を有する構成のフレーム材２fl，２fr，２bl，２br，２ul，２ur，２dl，２drを並置して結合することにより２条のナット装着溝１が構成されるので、各部材の取付位置の自由度が阻害されることはない。尚、図１１、図１２の例においては、並置した複数の下部ユニットＤの夫々の左右側に支持アーム４を取り付けており、この場合には、テーブル板５ｃの耐荷重を大きくすることができるが、場合によっては、隣接する下部ユニットＤの、隣接する支持アーム４のいずれかを省略することもできる。
【００４７】
図１３は３つの下部ユニットＤを並置し、連結した複数の下部ユニットＤの支持アーム４上に共通のテーブル板５ｃを固定し、外側に配置された下部ユニットＤの横側にサイドプレート６を固定してデスクの例を示すものである。この例においては、並置した３つの下部ユニットＤの夫々に同じ構成の上部ユニットＵを取り付けてデスクを構成しているが、異なった構成の上部ユニットＵを適宜に組み合わせることができることは云うまでもないことである。尚、符号２６は上述したように主フレーム３のフレーム材２fdの前側に取り付けたステップ板を示すものである。
【００４８】
一方、本発明においては、図１４、図１５に示す実施の形態のように、隣接した下部ユニットＤ及び上部ユニットＵの間に、前側と背面側の幅を異ならせた楔形状のコーナーユニットＣを介在させることができる。
【００４９】
このような構成に置いては、複数の下部ユニットＤ及び上部ユニットＵを、図に示すようにコンケープ状やコンベックス状に角度をつけて配置することができる。即ち、コーナーユニットＣの幅の狭い側を前側として結合すると、図示のように、コンケープ状に配置することができ、逆に幅の広い側を前側として結合することによりコンベックス状に配置することができる。
【００５０】
更に本発明においては、図１６、図１７に示すように、支持アーム４に、機器設置用フレーム部材２７によりディスプレー等の機器を支持する構成とすると共に、テーブル板５に機器挿通用開口２８を形成し、更に支持アーム４に、機器下部の保護カバー２９を支持する構成とすることにより、重量のある機器を、支持アーム４に取り付けた機器設置用フレーム部材２７により、テーブル板５の個所に支持することができ、機器の設置個所のバリエーションを更に増やすことができる。
【００５１】
更に本発明においては、図１８に示すように、単体又は複数の下部ユニットＤと上部ユニットＵの背面側に、空間部３０を有するカバー３１をフレーム材２bu，２bd，２bl，２brを以て着脱式に取付可能に構成することができる。この際、空間部を大きくするために、これらのフレーム材２bu，２bd，２bl，２brに、他のフレーム材２otを付加することもできる。
【００５２】
更に本発明においては、以上のように複数の下部ユニットＤ及び上部ユニットＵを横方向に一体に並置し、それらを連結した構成とは異なる他の構成として、図１９、図２０に示すように、複数の下部ユニットＤ及び上部ユニットＵを間隔を置いて横側に配置することができ、そしてこのように横側に配置された下部ユニットＤの夫々の支持アーム４により共通のテーブル板５ｃを固定することにより、横側に間隔を置いて配置された複数の下部ユニットＤ及び上部ユニットＵを一体化することもできる。
【００５３】
尚、図中符号３２はテーブル板５に設けたケーブル類挿通口、３３は扉板を示すものである。
【符号の説明】
【００５４】
Ｄ          下部ユニット
Ｕ          上部ユニット
１          ナット装着溝
２（２fu，２fd，２bu，２bd，２fl，２fr，２bl，２br，２ul，２ur，２dl，２dr，２ot）          フレーム材
３          主フレーム
４          支持アーム
５，５ｃ          テーブル板
６          サイドプレート
７          結合材（ブラケット、ナット等）
８          アンダーテーブルブラケット
９          テーブル支持片
１０          ケーブル類挿通口
１１          支持部材
１２          支持片
１３          アングル材
１４          連結ブラケット
１５          溝部
１６          アーム用レール
１７          アーム支持部材
１８          ケーブル類挿通口
１９          載置用板体
２０          支持部
２１          支柱
２２          ブラケット
２３          アーム用レール
２４          溝部
２５          ボルト・ナット
２６          ステップ板
２７          機器設置用フレーム部材
２８          機器挿通用開口
２９          保護カバー
３０          空間部
３１          カバー
３２          ケーブル類挿通口
３３          扉板
【図１】
2010224669.tif 000003
【図２】
2010224669.tif 000004
【図３】
2010224669.tif 000005
【図４】
2010224669.tif 000006
【図５】
2010224669.tif 000007
【図６】
2010224669.tif 000008
【図７】
2010224669.tif 000009
【図８】
2010224669.tif 000010
【図９】
2010224669.tif 000011
【図１０】
2010224669.tif 000012
【図１１】
2010224669.tif 000013
【図１２】
2010224669.tif 000014
【図１３】
2010224669.tif 000015
【図１４】
2010224669.tif 000016
【図１５】
2010224669.tif 000017
【図１６】
2010224669.tif 000018
【図１７】
2010224669.tif 000019
【図１８】
2010224669.tif 000020
【図１９】
2010224669.tif 000021
【図２０】
2010224669.tif 000022